(57)【要約】  能動積載重量物支持システムの動作を制御するシステム及び方法。一例では、車両のためのシートシステムは、シートと、シートに連結され、かつ車両の動作に応じて、シートを車両の床に対してコマンド角で動作させるように構成されたアクチュエータを含む支持構造体と、車両の動作を検出するように配置された少なくとも１つのセンサと、コントローラであって、少なくとも１つのセンサから信号を受け取ることと、シートを車両の床に対して動作させるようにアクチュエータに命令するコマンド信号を生成することと、コマンド信号により、シートが制限を超えるかどうかを決定することと、制限内において、車両の動作に合わせるようにコマンド信号を調整することと、調整されたコマンド信号に基づいてシートを動作させるために、フォースコマンドをアクチュエータに供給することを行うように構成されたコントローラと、を含む。【選択図】図７
2018537363.tif 000002
【特許請求の範囲】
【請求項１】
車両のシート動作を制御する方法であって、
前記車両の動作を検出するように配置された少なくとも１つのセンサから信号を受け取ることと、
シートに連結されたアクチュエータに、前記シートを車両中心線に対して動作させるように命令するコマンド信号を生成することと、
前記コマンド信号により、前記シートが制限を超えるかどうかを決定することと、
前記制限内において、前記シートの動作を前記車両の床の動作に合わせるように前記コマンド信号を調整することと、
前記調整されたコマンド信号に基づいて前記シートを動作させるために、前記アクチュエータにフォースコマンドを供給することと、を含む方法。
【請求項２】
前記コマンド信号を調整することは、前記コマンド信号を最大コマンド角に移行させ、かつ前記最大コマンド角から移行させることを含む、請求項１に記載の方法。
【請求項３】
前記コマンド信号を前記最大コマンド角に移行させることは、
下記：
【数１】
2018537363.tif 000009
に従って指数を計算することであって、前記飽和閾値は、前記コマンド信号のコマンド角であって、それを超えると調整が始まる、コマンド角を含む、計算することと、
前記計算された指数に少なくとも部分的に基づいて第１の倍率を決定することと、を含む、請求項２に記載の方法。
【請求項４】
前記指数は、複数の倍率を有する減衰テーブルの指数を含み、及び前記コマンド信号を最大コマンド角に移行させることは、前記計算された指数に基づいて前記減衰テーブルを参照することをさらに含む、請求項３に記載の方法。
【請求項５】
前記複数の倍率は、１／４正弦波に基づいたある範囲の値を含む、請求項４に記載の方法。
【請求項６】
前記コマンド信号を前記最大コマンド角に移行させることは、下記：
飽和閾値＋（（最大コマンド角−飽和閾値）＊第１の倍率）
に従って前記コマンド信号を調整することをさらに含む、請求項３に記載の方法。
【請求項７】
前記コマンド信号を前記最大コマンド角から移行させることは、前の理想的なコマンド信号に基づいて前記車両の動作のピーク値を特定することを含む、請求項６に記載の方法。
【請求項８】
前記コマンド信号を前記最大コマンド角から移行させることは、
下記：
【数２】
2018537363.tif 000010
に従って第２の倍率を生成することと、
下記：
第２の倍率＊理想的なコマンド信号
に従って前記コマンド信号を調整することと、を含む、請求項７に記載の方法。
【請求項９】
前記シートは、前記車両の前記床から直角に延びる垂直軸に沿って動作するように配置され、及び前記コマンド信号を調整することは、前記車両の内部との干渉を防止するように前記シートの動作を制限することを含む、請求項１に記載の方法。
【請求項１０】
前記車両の前記床から直角に延びる前記垂直軸に沿った前記シートの位置に少なくとも基づいて、前記コマンド信号の最大コマンド角を決定することをさらに含む、請求項９に記載の方法。
【請求項１１】
前記コマンド信号を調整することは、前記コマンド信号が前記最大コマンド角に達したことを決定することをさらに含み、及びフォースコマンドを前記アクチュエータに供給することは、前記アクチュエータに前記最大コマンド角で前記シートの動作を止めさせるようにフォースコマンドを生成することを含む、請求項１０に記載の方法。
【請求項１２】
車両のためのシートシステムであって、
シートと、
前記シートに連結され、かつ前記車両の動作に応じて、前記シートを前記車両の床に対してコマンド角で動作させるように構成されたアクチュエータを含む支持構造体と、
前記車両の動作を検出するように配置された少なくとも１つのセンサと、
コントローラと、を含み、前記コントローラは、
前記少なくとも１つのセンサから信号を受け取ることと、
前記シートを前記車両の床に対して動作させるように前記アクチュエータに命令するコマンド信号を生成することと、
前記コマンド信号により、前記シートが制限を超えるかどうかを決定することと、
前記制限内において、前記車両の動作に合わせるように前記コマンド信号を調整することと、
前記調整されたコマンド信号に基づいて前記シートを動作させるために、前記アクチュエータにフォースコマンドを供給することと、を行うように構成される、シートシステム。
【請求項１３】
前記コントローラは、前記コマンド信号を最大コマンド角に移行させ、かつ前記最大コマンド角から移行させることにより、前記コマンド信号を調整するように構成される、請求項１２に記載のシートシステム。
【請求項１４】
前記コントローラは、
下記：
【数３】
2018537363.tif 000011
に従って指数を計算することであって、飽和閾値は、前記コマンド信号のコマンド角であって、それにおいて調整が始まる、コマンド角を含む、計算することと、
前記計算された指数に少なくとも部分的に基づいて第１の倍率を決定することと、を行うようにさらに構成される、請求項１３に記載のシートシステム。
【請求項１５】
前記指数は、複数の倍率を有する減衰テーブルの指数を含み、及び前記コマンド信号を最大コマンド角に移行させることは、前記計算された指数に基づいて前記減衰テーブルを参照することをさらに含む、請求項１４に記載のシートシステム。
【請求項１６】
前記複数の倍率は、１／４正弦波に基づいたある範囲の値を含む、請求項１５に記載のシートシステム。
【請求項１７】
前記コントローラは、下記：
飽和閾値＋（（最大コマンド角−飽和閾値）＊第１の倍率）
に従って前記コマンド信号を最大コマンド角に移行させるように構成される、請求項１５に記載のシートシステム。
【請求項１８】
前記コントローラは、前の理想的なコマンド信号に基づいて前記車両の動作のピーク値を特定するようにさらに構成される、請求項１５に記載のシートシステム。
【請求項１９】
前記コントローラは、
下記：
【数４】
2018537363.tif 000012
に従って第２の倍率を生成することと、
下記：
第２の倍率＊理想的なコマンド信号
に従って前記コマンド信号を調整することと、を行うようにさらに構成される、請求項１８に記載のシートシステム。
【請求項２０】
前記シートは、前記車両の前記床から直角に延びる垂直軸に沿って動作するように配置され、及び前記コントローラは、前記車両の内部との干渉を防止するように前記シートの動作を制限するように構成される、請求項１３に記載のシートシステム。
【請求項２１】
前記コントローラは、前記車両の前記床から直角に延びる前記垂直軸に沿った前記シートの位置に少なくとも基づいて、前記コマンド信号の最大コマンド角を決定するように構成される、請求項２０に記載のシートシステム。
【請求項２２】
前記コントローラは、前記コマンド信号が前記最大コマンド角に達したことを決定することにより、前記コマンド信号を調整することと、前記アクチュエータに前記最大コマンド角で前記シートの動作を止めさせるように前記アクチュエータにフォースコマンドを供給することとを行うように構成される、請求項２１に記載のシートシステム。
【請求項２３】
車両の床に対してコマンド角で配置されるシートと、
コントローラと
を含む車両シートであって、前記コントローラは、
前記車両の動作に応じて、前記シートを前記車両の前記床に対して動作させるようにアクチュエータに命令するコマンド信号を生成することと、
前記コマンド信号により、前記シートが制限を超えるかどうかを決定することと、
前記制限内において、前記車両の動作に合わせるように前記コマンド信号を調整することと、を行うように構成される、車両シート。
【請求項２４】
前記コントローラは、前記調整されたコマンド信号に少なくとも基づいて、前記シートを動作させるフォースコマンドを生成するように構成される、請求項２３に記載の車両シート。
【請求項２５】
前記コントローラは、前記コマンド信号を最大コマンド角に移行させ、かつ前記最大コマンド角から移行させることにより、前記コマンド信号を調整するように構成される、請求項２３に記載の車両シート。
【請求項２６】
前記シートは、前記車両の前記床から直角に延びる垂直軸に沿って動作するように配置され、及び前記コントローラは、前記車両の内部との干渉を防止するように前記シートの動作を制限するように構成される、請求項２３に記載の車両シート。
【請求項２７】
前記コントローラは、前記車両の前記床から直角に延びる前記垂直軸に沿った前記シートの位置に少なくとも基づいて、前記コマンド信号の最大コマンド角を決定するように構成される、請求項２６に記載の車両シート。
【請求項２８】
前記コントローラは、前記コマンド信号が前記最大コマンド角に達したことを決定することにより、前記コマンド信号を調整するように構成される、請求項２７に記載の車両シート。
【発明の詳細な説明】
【技術分野】
【０００１】
本開示の態様及び実装形態は、概して、積載重量物懸架装置に関し、一部の例では、より具体的に、車両のロール又はピッチを補償する車両シート及び方法に関する。
【背景技術】
【０００２】
直交座標系（Ｘ、Ｙ、Ｚ方向）では、支持プラットフォームによって支持された積載重量物は、様々な方向の動作の影響を受けることがある。例えば、車両シートに配置された乗員、車椅子内に配置された乗員、又は新生児保育器内の占有者は、並進と各ロール、ピッチ、及びヨー軸の周りの回転とを含む最大６自由度までの動作の影響を受けることがある。地表面に凹凸があるために、積載重量物は、走行中、支持プラットフォームに取り付けられた車両が障害物に遭遇したときに動揺することが多い。特に、路面状態に起因する動揺は、支持プラットフォームが、トラクタ及び他の重機で通常見られるような剛性の又は堅い懸架システムを含む場合に特に激しいことがある。
【発明の概要】
【０００３】
本開示の態様によれば、積載重量物を動揺から能動的に分離するシステム及び方法が提供される。例えば、車両シートと、車両のためのシートシステムと、ロール軸又はピッチ軸などの１つ又は複数の軸の周りの車両シートの回転を制御する方法と、が提供される。一例では、シートシステムは、車両の床に対して所望の角度に配置されるシートと、車両の動作を補償するために、シートに連結されたアクチュエータに所望の角度に調整するように命令するコマンド信号を生成するように構成されたコントローラと、を含む。従って、様々な実装形態は、車両シートの乗員などの積載重量物を動作及び破壊力から能動的に分離するシステム及び方法を提示する。特に、本開示のいくつかの態様は、最大コマンド角との間でプラットフォームの回転を段階的にかつ滑らかに移行させ、ロール時、積載重量物又は積載重量物が配置されたプラットフォームと、プラットフォームを囲む構造物との間の干渉を回避するために、積載重量物を支持するプラットフォームに供給されるコマンド信号を調整する。そのような態様及び実装形態は、積載重量物にとってより分離された動揺のない走行体験をもたらす。車両シート又は車両シートシステムに関連して、様々な態様及び実装形態が本明細書で説明されるが、さらなる態様及び実装形態は、動揺の影響を受けやすい、積載重量物を支持するための他のプラットフォーム、例えば、車椅子、ガーニ、ベッド、新生児保育器、及び重機などを含むことができる。
【０００４】
１つの態様によれば、車両のシート動作を制御する方法が提示される。一例では、方法は、車両の動作を検出するように配置された少なくとも１つのセンサから信号を受け取ることと、シートに連結されたアクチュエータに、シートを車両中心線に対して動作させるように命令するコマンド信号を生成することと、コマンド信号により、シートが制限を超えるかどうかを決定することと、制限内において、シートの動作を車両の床の動作に合わせるようにコマンド信号を調整することと、調整されたコマンド信号に基づいてシートを動作させるために、アクチュエータにフォースコマンド（force command）を供給することと、を含む。
【０００５】
一例では、コマンド信号を調整することは、コマンド信号を最大コマンド角に移行させ、かつ最大コマンド角から移行させることを含む。さらなる例では、コマンド信号を最大コマンド角に移行させることは、下記：
【数１】
2018537363.tif 000003
に従って指数を計算することであって、飽和閾値は、コマンド信号のコマンド角であって、それを超えると調整が始まる、コマンド角を含む、計算することと、計算された指数に少なくとも部分的に基づいて第１の倍率を決定することとを含む。一例では、指数は、複数の倍率を有する減衰テーブルの指数を含み、及びコマンド信号を最大コマンド角に移行させることは、計算された指数に基づいて減衰テーブルを参照することをさらに含む。さらなる例では、複数の倍率は、１／４正弦波に基づいたある範囲の値を含む。
【０００６】
一例によれば、コマンド信号を最大コマンド角に移行させることは、下記：
飽和閾値＋（（最大コマンド角−飽和閾値）＊第１の倍率）
に従ってコマンド信号を調整することをさらに含む。
【０００７】
一例では、コマンド信号を最大コマンド角から移行させることは、前の理想的なコマンド信号に基づいて車両の動作のピーク値を特定することを含む。さらなる例では、コマンド信号を最大コマンド角から移行させることは、下記：
【数２】
2018537363.tif 000004
に従って第２の倍率を生成することと、下記：
第２の倍率＊理想的なコマンド信号
に従ってコマンド信号を調整することと、を含む。
【０００８】
例によれば、シートは、車両の床から直角に延びる垂直軸に沿って動作するように配置され、及びコマンド信号を調整することは、車両の内部との干渉を防止するようにシートの動作を制限することを含む。さらなる例では、方法は、車両の床から直角に延びる垂直軸に沿ったシートの位置に少なくとも基づいて、コマンド信号の最大コマンド角を決定することを含む。例では、コマンド信号を調整することは、コマンド信号が最大コマンド角に達したことを決定することをさらに含み、及びフォースコマンドをアクチュエータに供給することは、アクチュエータに最大コマンド角でシートの動作を止めさせるようにフォースコマンドを生成することを含む。
【０００９】
別の態様によれば、車両のためのシートシステムが提示される。一例では、システムは、シートと、シートに連結され、かつ車両の動作に応じて、シートを車両の床に対してコマンド角で動作させるように構成されたアクチュエータを含む支持構造体と、車両の動作を検出するように配置された少なくとも１つのセンサと、コントローラであって、少なくとも１つのセンサから信号を受け取ることと、シートを車両の床に対して動作させるようにアクチュエータに命令するコマンド信号を生成することと、コマンド信号により、シートが制限を超えるかどうかを決定することと、制限内において、車両の動作に合わせるようにコマンド信号を調整することと、調整されたコマンド信号に基づいてシートを動作させるために、アクチュエータにフォースコマンドを供給することとを行うように構成されたコントローラと、を含む。
【００１０】
一例では、コントローラは、コマンド信号を最大コマンド角に移行させ、かつ最大コマンド角から移行させることにより、コマンド信号を調整するように構成される。さらなる例では、コントローラは、下記：
【数３】
2018537363.tif 000005
に従って指数を計算することであって、飽和閾値は、コマンド信号のコマンド角であって、それにおいて調整が始まる、コマンド角を含む、計算することと、計算された指数に少なくとも部分的に基づいて第１の倍率を決定することと、を行うようにさらに構成される。
【００１１】
一例では、指数は、複数の倍率を有する減衰テーブルの指数を含み、及びコマンド信号を最大コマンド角に移行させることは、計算された指数に基づいて減衰テーブルを参照することをさらに含む。さらなる例では、複数の倍率は、１／４正弦波に基づいたある範囲の値を含む。例によれば、コントローラは、下記：
飽和閾値＋（（最大コマンド角−飽和閾値）＊第１の倍率）
に従ってコマンド信号を最大コマンド角に移行させるように構成される。
【００１２】
一例では、コントローラは、前の理想的なコマンド信号に基づいて車両の動作のピーク値を特定するようにさらに構成される。さらなる例では、コントローラは、下記：
【数４】
2018537363.tif 000006
に従って第２の倍率を生成することと、下記：
第２の倍率＊理想的なコマンド信号
に従ってコマンド信号を調整することと、を行うようにさらに構成される。
【００１３】
一例によれば、シートは、車両の床から直角に延びる垂直軸に沿って動作するように配置され、及びコントローラは、車両の内部との干渉を防止するようにシートの動作を制限するように構成される。さらなる例では、コントローラは、車両の床から直角に延びる垂直軸に沿ったシートの位置に少なくとも基づいて、コマンド信号の最大コマンド角を決定するように構成される。一例によれば、コントローラは、コマンド信号が最大コマンド角に達したことを決定することにより、コマンド信号を調整することと、アクチュエータに最大コマンド角でシートの動作を止めさせるようにアクチュエータにフォースコマンドを供給することとを行うように構成される。
【００１４】
態様によれば、車両シートが提示される。一例では、車両シートは、車両の床に対してコマンド角で配置されるシートと、コントローラであって、車両の動作に応じて、シートを車両の床に対して動作させるようにアクチュエータに命令するコマンド信号を生成することと、コマンド信号により、シートが制限を超えるかどうかを決定することと、制限内において、車両の動作に合わせるようにコマンド信号を調整することとを行うように構成されたコントローラと、を含む。
【００１５】
一例では、コントローラは、調整されたコマンド信号に少なくとも基づいて、シートを動作させるフォースコマンドを生成するように構成される。一例によれば、コントローラは、コマンド信号を最大コマンド角に移行させ、かつ最大コマンド角から移行させることにより、コマンド信号を調整するように構成される。例では、シートは、車両の床から直角に延びる垂直軸に沿って動作するように配置され、及びコントローラは、車両の内部との干渉を防止するようにシートの動作を制限するように構成される。さらなる例では、コントローラは、車両の床から直角に延びる垂直軸に沿ったシートの位置に少なくとも基づいて、コマンド信号の最大コマンド角を決定するように構成される。例によれば、コントローラは、コマンド信号が最大コマンド角に達したことを決定することにより、コマンド信号を調整するように構成される。
【００１６】
これらの例示的な態様のさらに別の態様、例、及び利点が下記に詳細に説明される。さらなる実装形態は、本明細書に列挙する任意のプロセスを行うための手段を含むことができる。さらに、当然のことながら、前述の情報及び以下の詳細な説明の両方は、様々な態様の単なる用例であり、特許請求される主題の特質及び特徴を理解するための概説又はフレームワークを提示することを意図されている。本明細書で開示する任意の例は、任意の他の例と組み合わせることができる。「例」、「一部の例」、「代替例」、「様々な例」、「一例」、「少なくとも１つの例」、「この及び他の例」などの表現は、必ずしも相互排他的ではなく、例に関連して説明する特定の機能、構造、又は特徴が少なくとも１つの例に含まれ得ることを示すことを意図されている。本明細書において、そのような用語の出現は、必ずしもすべて同じ例に適用する必要はない。
【００１７】
さらに、本明細書と、参照により本明細書に援用される文献との間で用語の使用に一貫性がない場合、援用される参照文献での用語の使用は、本明細書の用語の使用を補い、本明細書の用語の使用を調整する。さらに、添付図面は、様々な態様及び例を図解し、さらなる理解を提供するために含まれており、本明細書に組み込まれ、本明細書の一部を構成する。図面は、本明細書の他の部分と共に、説明されかつ特許請求される態様及び例の原理及び動作を説明する役割を果たす。
【図面の簡単な説明】
【００１８】
【図１Ａ】車両の図である。
【図１Ｂ】ロール事象を受けた図１Ａの車両の図である。
【図２】本明細書で説明する様々な態様による例示的な車両シート及び車両シートシステムの図である。
【図３】本明細書で説明する様々な態様による例示的な車両シート及び車両シートシステムの別の図である。
【図４】コマンド信号のグラフである。
【図５】本明細書で説明する様々な態様による車両シート動作を制御するための流れ図を示す。
【図６】車両シートの位置のグラフである。
【図７】本明細書で説明する様々な態様による車両シート動作を制御するためのブロック図を示す。
【図８】本明細書で説明する様々な態様で使用できるコントローラの図である。
【発明を実施するための形態】
【００１９】
本明細書で開示する態様及び実装形態は、以下の説明に記載されるか又は図面に示される構築物の細部及び構成要素の配置に限定されない。本明細書で開示する態様及び実装形態は、様々な方法で実施又は実行することができる。
【００２０】
本開示の態様によれば、プラットフォームによって支持された積載重量物を動揺から能動的に分離するシステム及び方法が提示される。少なくとも１つの例では、本発明の態様は、車両シートと、車両のためのシートシステムと、車両シートの回転を制御する方法とを含むことができる。特に、斜めに縁石に進むなどの大きいロール又はピッチ事象時、本明細書で説明するシステムは、ロール（又はピッチ事象）により生じるロール（又はピッチ）を軽減するために、コマンド信号を生成し、ロール（又はピッチ）力をプラットフォームにもたらすことができるアクチュエータにフォースコマンドを送出することにより、プラットフォームのロール（又はピッチ）を能動的に制御する。提示される例示的な車両シートシステム内において、態様及び例は、車両の乗員を走行時の車両のピッチ又はロール軸の周りの１つ又は複数の回転もしくは並進から分離する。車両シート又は車両シートシステムに関連して、様々な態様及び実装形態が本明細書で説明されるが、さらなる態様及び実装形態は、動揺の影響を受けやすい、積載重量物を支持するための他のシステム及び装置を含むことができる。
【００２１】
本明細書で説明するいくつかの例は、車両シート及び車両のためのシートシステムを含む。図１Ａ及び図１Ｂは、いくつかの実装形態による例示的なシート及び車両のためのシートシステムを示す。特に、図１Ａは、ほぼ水平な路面を走行するトラクタの形態の車両１０２を示し、図１Ｂは、車両ロール角θ１でロール事象に遭遇したトラクタ１０２を示す。様々な実装形態の説明を容易にするために、図１Ａ及び図１Ｂに示すトラクタ１０２の一部は省略されていることが分かる。図１Ａ及び図１Ｂでは、シート１０６に着座している人１０４の身体を貫通している仮想基準垂直中心線１０８に沿ったほぼ垂直な向きで、人１０４がシート１０６に着座していることが示されている。この例では、垂直中心線１０８は、図１Ａに示すように、シート１０６及び車両１０２の両方が標準の平らで水平な向きにあるとき、人１０４及びシート１０６を二等分する。これは、図１Ａに示す通り、シート１０６が実質的に対称であるためである。他のタイプの車両では、シート１０６は、垂直中心線１０８の左又は右に配置することができる。
【００２２】
シート１０６は、支持構造物１１２により、車両の床１１０に固定されている。支持構造物１１２は、車両１０２が直線的に移動しているときに、シート１０６が、車両１０２が移動している方向に実質的に平行な軸１１４の周りで車両１０２に対して動作／回転することを可能にするピボット１２８を含む。図１Ａ及び図１Ｂは、シート１０６の下で離れて配置された軸１１４を示し、様々な実装形態では、軸１１４は、示したものよりも高く又は低く配置することもできる。軸１１４は、車両１０２に対して固定される。様々な実装形態では、車両１０２は、軸１１４と、車両１０２が移動している方向とに実質的に平行な第２の軸１１６の周りで回転することができる。
【００２３】
図１Ａ及び図１Ｂに示すように、距離Ｌ１は、軸１１４と第２の軸１１６との間の長さを表す。第２の距離Ｌ２は、軸１１４と車両１０２の乗員１０４の頭１１８の中心との間の長さを表す。様々な実装形態では、Ｌ２の上端は、シートに着座した人の頭に対応する位置に又はその位置より上にあり、例えば、３〜５フィートの範囲を取ることができる。
【００２４】
図１Ｂでは、車両１０２の左タイヤ１２０は、車両１０２が走行している路面の障害物１２２に当たって、車両１０２を反時計方向（前から見た場合）に回転させる。軸１１６の周りの回転は、右タイヤの底部の周りの車両１０２の回転に対する許容可能な微小角近似であり、対称性であることから使用される。車両１０２は、近似的に、垂直中心線１０８と車両中心線１２４との間の角度を表す角度θ１だけ回転している。シート１０２が車両１０２の中心に配置されていない（すなわち、中心の一方又は他方の側に配置されている）場合、θ１は、図１Ａの標準位置から（例えば、図１Ｂの）回転位置への車両中心線１２４の回転によって定まる。いくつかの実施形態では、車両１０２が反時計方向に回転する場合、シート１０６は、軸１１４の周りを（車両１０２の回転方向とは逆の）時計方向に回転する。シート１０６は、支持構造物１１２に連結されたアクチュエータによって回転することができる。同様に、車両１０２が時計方向に回転する場合、シート１０６は、軸１１４の周りを反時計方向に回転する。両方の実装形態において、少なくともアクチュエータと通信するコントローラは、アクチュエータに角度θ２だけシートを回転させるようにフォースコマンドを供給し、この角度θ２は、車両中心線１２４とシート中心線１２６との間の角度である。
【００２５】
様々な実施形態では、角度θ２は、θ２＝θ１＊（１＋Ｌ１／Ｌ２）に従ってコントローラによって決定される。一部の実装形態では、軸１１４を床１１０の近くに配置することが好ましく、その理由は、Ｌ１がＬ２に対して大きくなると、θ２が大きくなるからである。従って、床１１０からの軸１１４の高さが高くなると、一定のロール量を補償するのにより大きい回転が必要とされる。その結果、人１０４は、左右及び／又は前後の動作を実質的に減らすか又は最小限にするために所定の位置の周りで回転する。様々な実装形態では、乗員の頭１１８は、実質的に元の垂直中心線１０８上にあるままである。「SEAT SYTEM FOR A VEHICLE」という名称の米国特許出願公開第２０１４／０３１６６６１号に記載された技術を使用して、路面での動揺による乗員の頭の水平方向の加速を小さくするさらなるシステム及び方法を実施することができ、この特許は、参照によりその全体が本明細書に援用される。
【００２６】
図１Ａ〜図１Ｂを引き続き参照しながら、ここで、図２を参照すると、図１Ａ及び図１Ｂに示す車両シート１０６などの車両シートを含む車両シートシステムの一例が示されている。底部２０４と底部２０４に連結された背もたれ２０６とを有するシート１０６が示されている。アーム２０８の対が背もたれ２０６から前方に延びている。このシートシステムの利点は、車両１０２の左右の揺動により、人１０４の胴体にかかるアーム２０８の任意の衝撃が実質的に弱まる（又は最小限になる）ことである。動揺の改善が背もたれ２０６にもたらされ、それにより、人の背中に対する背もたれの横並進も実質的に低減される。リニアアクチュエータ２１０は、（位置２１２で）支持構造物１１２に回転可能に連結され、シート１０６を軸１１４の周りで回転させるためにシート１０６と相互作用することができる。この例では、リニアアクチュエータ２１０は、位置２１４で車両の床１１０にも回転可能に連結されている。リニアアクチュエータ２１０は、シート１０６を軸１１４の周りで両方向矢印２１８の方向に回転させるために両方向矢印２１６の方向に伸縮する。リニアアクチュエータ２１０は、例えば、電磁式リニアモータ、油圧シリンダ、又は空気式シリンダとすることができる。リニアアクチュエータ２１０は、代わりに、シート１０６と床１１０との間に連結された回転アクチュエータ（電磁式、油圧式、又は空気駆動式）などの他の何らかのタイプのアクチュエータとすることができる。任意のタイプのアクチュエータは、シート１０６に直接連結することができ、又は何らかのタイプの歯車列、リンク機構、又は他の伝動機構を介して動作することもできる。アクチュエータ２１０は、支持構造物１１２の異なる部分又はシート１０６と、車両１０２の異なる部分（床１１０以外、例えば、運転室の壁）とに連結することができる。アクチュエータ２１０の制御について、少なくとも図３〜図７を参照して下記に説明される。
【００２７】
車両１０２に対する軸１１４（ロール軸）の周りの単一自由度のみを有するシート１０６が示されている。この単一自由度は、代わりに、ピッチ軸、ヨー軸の周り、又は複数の軸（すなわち、ロール、ピッチ、及び／又はヨー）の周りとすることができる。この場合、軸１１４は、図１Ａに示すように前後に向けられ、シート１０６が左右の回転に対して制御されることを可能にする。別の例では、シート１０６は、１つ又は複数のさらなる自由度でシート１０６を動作させるために、１つ又は複数のさらなるアクチュエータ（図示せず）を装備することができる。例えば、中間支持構造物１１２を床１１０に取り付ける代わりに、中間支持構造物１１２は、車両が道路を走行するときに運転者が感知する垂直振動を弱めるために、さらなるアクチュエータにより上下に動作するプラットフォーム（図示せず）に取り付けることができる（又はこの垂直アクチュエータは、構造物とシートとの間に挿入することができる）。このタイプの垂直能動懸架システムは、「ACTIVE SUSPENDING」という名称の米国特許第８，０９５，２６８号に示されており、この特許は、参照によりその全体が本明細書に援用される。垂直能動懸架システムは、回転シート１０６とは独立して動作することができる。Ｌ２の距離（図１Ａ及び図１Ｂ）は、垂直分離機構に対応する動作と共に変わる。この作用は、プラットフォームと床との間の距離を検出するセンサからの入力に基づくプロセッサ計算に含めることができる。さらに、垂直分離システムを使用して、車両の（例えば、地面に対する）回転とシートの車両に対する回転との組み合わせによる、人の頭の任意の起こり得る上下動を相殺することができる。
【００２８】
図３を参照すると、アクチュエータ２１０の動作がコントローラ３０２によって制御されている。センサ３０４は、この例では車両のロール速度である動作の態様を測定することができる。コントローラ３０２は、センサ３０４からバス３１０を介してロール速度データの形態の信号（すなわち、入力）を受け取る。コントローラ３０２は、瞬間的な車両ロール角θ１（図１Ｂ）を決定するためにロール速度データの積分を計算する。次いで、コントローラ３０２は、上記の式でθ１をＬ２及びＬ１と共に使用して、瞬間的なコマンド角θ２（図１Ｂ）を含むコマンド信号を生成する。次に、コントローラ３０２は、計算されたθ２を実現するために、参照テーブルを使用して望ましいアクチュエータ位置を決定する。アクチュエータ位置参照テーブル（ならびに下記に説明する最大コマンド角参照テーブル及び減衰参照テーブルなどの本明細書で説明する他の参照テーブル）は、ランタイム計算の代わりに指数付け処理を使用する任意の配列を含むことができる。例えば、アクチュエータ位置参照テーブルは、静的プログラム記憶装置に保存された事前に計算済みの指数付きアクチュエータ位置の配列を含むことができる。コントローラ３０２は、アクチュエータ２１０からバス３０６を介して位置データを受け取ることに留意されたい。位置データは、軸１１４の周りのシート１０６の位置に相関するアクチュエータ２１０の位置を示す。従って、コントローラ３０２は、コマンド信号を生成するときに、アクチュエータ２１０の現在の位置（例えば変位）についての情報を伝えられる。なお、θ２を制御するために、プロセッサによって使用される特定の制御法則は重要ではなく、ＰＩ、ＰＩＤ、又は他の公知の制御法則などの様々な制御法則を本明細書で説明する実装形態で使用することができる。
【００２９】
次いで、コントローラ３０２は、アクチュエータ２１０を所望のアクチュエータ位置に移動させるフォースコマンドを、バス３０８を介してアクチュエータ２１０に送出する。これらのステップを連続的に繰り返すことにより、コントローラ３０２は、センサ３０４からの入力を使用して軸１１４の周りのシート１０６の望ましい動作を決定し、次いで、この軸の周りのシート１０６の望ましい動作を引き起こすようにアクチュエータ２１０を動作させる。これは、シート１０６に着座した人の頭のほぼ水平方向の加速を大幅に小さくする（又は最小限にする）。好ましくは、コントローラ３０２は、車両１０２が（例えば、図１Ｂの軸１１６の周りで）回転するときに、基準垂直中心線１０８に沿った実際のピボット点の変位を小さくするために、シート１０６の動作を制御する。この例は、（ａ）（車両が左又は右に曲がるときに）方向転換によって引き起こされる横加速の影響を受けにくく、（ｂ）最小限の動作センサで済ますことができるという点で有益である。この構成は、ロール中心高さが変わらない（すなわち、Ｌ１が変化しない）と想定している。
【００３０】
車両１０２が移動しているときにＬ１をリアルタイムで連続的に計算することが望ましい場合、例えば、車両１０２又はシート１０６に横加速度計（図示せず）を設けることができる。この加速度計は、軸１１４と実質的に同じ高さ（又は位置）に配置されることが好ましい。コントローラ３０２は、横加速度計及びセンサ３０４から入力を受け取り、次いで式Ｌ１＝横速度／ロール速度を使用してＬ１を計算し、この場合、横速度は、横加速度信号を積分することで計算される。なお、本願で説明される任意の横加速度計の出力に対して重力補正を行うことが好ましい。これは、車両１０２及び／又はシート１０６が回転するときに、横加速度計に作用する重力成分が考慮されることを意味する。
【００３１】
本明細書で説明する様々な態様及び実装形態はまた、プラットフォームの動作範囲限界を超える大きいロール事象から積載重量物を分離することを可能にする。例えば、大きい車両ロール事象時、シート１０６が動作範囲限界まで回転すると、さらに回転して最大限の車両ロール角に対処することができない。さらに、シート１０６の動作範囲限界でのコマンド信号の急な飽和により、乗員にとって乗り心地が不快なものになることがある。従って、様々な態様及び実装形態は、シート１０６が動作範囲限界との間で円滑に移行するように、コマンド信号を段階的にかつ漸進的に調整する。
【００３２】
図４を参照すると、大きいロール事象が発生した期間にわたって、アクチュエータ（例えば、図３を参照して説明したアクチュエータ３０２）に命令するコマンド信号のグラフを示す。説明において、大きいロール事象は、車両の右又は左のタイヤが縁石又は他の大きい障害物（例えば、溝、排水路など）に遭遇した場合など、車両が走行している路面の任意の大きい障害物が車両のピッチ又はロール軸の周りの大回転を引き起こす場合に発生することがある。
【００３３】
第１の軌跡４０２は、アクチュエータに命令するための調整されたコマンド信号を示し、第２の軌跡４０４は、アクチュエータに命令するための未調整のコマンド信号を示し、第３の軌跡４０６は、コントローラによって生成された理想的なコマンド信号を示す。本明細書において、理想的なコマンド信号とは、シートの動作範囲限界がない場合に生成されるコマンド信号を指す。上記のように、コマンド信号は、シートがロール事象中に配置され得る一連の瞬間的なコマンド角を含む。様々な実装形態では、コントローラは、車両ロールを補償する望ましいシート位置が得られるようにアクチュエータを駆動するために、コマンド信号に基づいてコマンドフォースを生成することができる。図４は、最大コマンド角が±８°の動作範囲限界を示すが、当然のことながら、様々な実装形態では、最大コマンド角は、±８°よりも大きい又は小さいことがあり、一部の例では、シートと車両の床との間の距離又は特定の実装形態によって決まることがある。例えば、車両シートは、新生児保育器よりも大きいコマンド角を有することができる。
【００３４】
様々な飽和コマンド信号技術では、コマンド角が最大コマンド角で飽和した場合、コマンド信号に突然に「頂部が平らになる」期間が形成される。約２０．８〜２１秒の期間中に約８°の状態を保つそのような例が第２の軌跡４０４によって示されている。この突然の変化により、不自然な感覚がもたらされ、乗員は不快になる。従って、様々な実施形態では、最大コマンド角が近くなったときに又は最大コマンド角にほぼ達したときに、コントローラは、動作範囲限界に向かって漸進的に飽和させ、車両ロールが最大ロール角に達するのを待つようにコマンド信号を調整する。２０．５〜２１秒の期間中に約５°〜８°を取るそのような例が第１の軌跡４０２によって明示されている。車両の最大ロール角に達すると、コントローラは、理想的なコマンド信号の形状に従って、動作範囲限界から離れる方向に次第に小さくなるようにコマンド信号を調整する。コマンド信号が約８°から離れるときのその結果が第１の軌跡４０２に示されている。８°に到達したとき及び８°から離れるときに、急勾配で明瞭なエッジを有する第２の軌跡４０４とは対照的に、様々な実装形態において、コントローラは、不連続性を持たせる代わりに、コマンド信号のコーナを丸くするようにコマンド信号を調整する。
【００３５】
従って、様々な実装形態において、コントローラは、シートの動作がシートの動作範囲限界内において車両の床の動作に合うようにコマンド信号を調整する。特に、コントローラは、理想的なコマンド信号、理想的なコマンド信号の以前のサンプル、飽和閾値、及び１つ又は複数の最大コマンド角に基づいてコマンド信号を調整することができる。プラス（＋）及びマイナス（−）方向に等しいとして本明細書で説明したが、さらなる例では、最大コマンド角は、プラス及びマイナスの方向に異なる大きさを有することがある。これは、車両シートが車両の中心に置かれていないか、又は車両シートが実質的に対称でない場合に多い。大きいロール事象時、シートの動作を制御する制御プロセスの一例が、図５に示すブロック図に示されている。図５は、引き続き、図１〜図３を参照して上記に説明した車両シート及び車両シートシステムに関連して説明される。
【００３６】
図５において、ＲＣはコマンド信号を表し、ＩＲＣは理想的なコマンド信号を表し、Ｔは飽和閾値を表し、ＬＩＭは最大コマンド角を表し、Ｋ１は第１の倍率を表し、Ｋ２は第２の倍率を表す。ブロック５０２では、コントローラは、コマンド信号を理想的なコマンド信号にほぼ等しく設定するように構成されている。様々な実装形態では、理想的なコマンド信号は、上記のように、θ２＝θ１＊（１＋Ｌ１／Ｌ２）に従って生成されたコマンド角を含む。本明細書において離散値として説明したが、当然のことながら、様々な実装形態では、角度θ２は、車両が動作中のときにリアルタイムで連続して生成される。
【００３７】
コマンド信号の生成に続いて、コントローラは、コマンド信号により、シートが飽和閾値を超えるかどうかを決定するように構成されている。本明細書において、飽和閾値は、所定のシートロール角を画定し、コントローラは、このシートロール角を超えてからコマンド信号を調整し始めるように構成されている。例えば、図４に示す飽和閾値は約５°であるが、さらなる実装形態では、飽和閾値は５°よりも大きい又は小さいことができる。様々な実装形態では、飽和閾値は、車両シートの検出された高さなどの１つ又は複数の受信入力に基づいてコントローラが定めることができる。飽和閾値を超えたときの、コマンド信号の調整処理と、コントローラの対応した修正挙動とにより、コマンド角が、大きいロール事象の発生時にのみ調整されることが確実になる。
【００３８】
従って、決定ブロック５０４では、コントローラは、理想的なコマンド信号が飽和閾値を超える（すなわち、大きさがより大きい）かどうかを決定するように構成されている。理想的なコマンド信号が飽和閾値を超えない場合、コントローラは、コマンド信号と理想的なコマンド信号とを等しくし続ける。しかし、コントローラが、理想的なコマンド信号が飽和閾値を超えると決定した場合、コントローラは、車両シートの動作を動作範囲限界内に維持するようにコマンド信号を調整し始める。コマンド信号の生成後に実行されると上記に説明したが、様々なさらなる実装形態では、コントローラは、コマンド信号がコントローラによって生成され、フォースコマンドがアクチュエータに供給されている間に飽和閾値を超えるかどうかを決定することができる。
【００３９】
ブロック５０６では、コントローラは指数を生成し、コマンド信号用の第１の倍率Ｋ１を決定するように構成されている。様々な実装形態が可能であるが、１つの特定の例では、指数は、複数の倍率を有する減衰参照テーブルの指数を含む。コントローラは、指数に基づいて減衰テーブルを参照することにより、第１の倍率Ｋ１を決定することができる。倍率は、最大コマンド角との間でコマンド信号を段階的に移行させるために、コントローラによってコマンド信号に適用され、第１の倍率Ｋ１は、コマンド信号を最大コマンド角に移行させるために適用され、第２の倍率Ｋ２は、コマンド信号を最大コマンド角から移行させるために適用される。図５に示すように、指数は下記：
【数５】
2018537363.tif 000007
に従って計算することができる。
【００４０】
上記のように、最大コマンド角は、シートの動作範囲限界に達したコマンド角を含む。例えば、最大コマンド角は、±８°として図４に示されている。
【００４１】
指数を計算すると、コントローラは、計算された指数に対応する倍率を決定するために減衰テーブル又は倍率の他のリポジトリを参照する。様々な実装形態において、倍率は、１／４正弦波に基づく。計算された指数値は、０〜無限大の範囲を取ることができ、０〜１の値の倍率に対応する。指数が０の場合、第１の倍率も０である。指数が０〜１．５５の値を取る場合、倍率は、１／４正弦波に従うことができ、指数が１．５５に近づくにつれて、正弦波の最初の１／４に比例して値が増加する。指数が１．５５以上の場合、第１の倍率は１に設定される。さらに、ブロック５０６では、コマンド信号の調整がコントローラによって行われる。いくつかの実装形態では、第１の倍率は、下記：
飽和閾値＋（（最大コマンド角−飽和閾値）＊第１の倍率）
に従ってコマンド信号に適用される。
【００４２】
様々な実装形態では、コントローラは、上記のように、得られた調整済みコマンド信号に基づいて、アクチュエータにシートを再配置させるフォースコマンドを生成することができる。
【００４３】
決定ブロック５０８では、コントローラは、コマンド信号が最大コマンド角に達したかどうか、及び前回のコマンド角（「前のＩＲＣ」）が現在の理想的なコマンド信号（すなわち、理想的なコマンド信号「ＩＲＣ」）よりも大きいかどうかを決定するように構成されている。これらの状態の両方が満たされた場合、コントローラは、第２の倍率を計算するために１つ又は複数の処理を行い、最大コマンド角から離れる方向にコマンド信号を漸進的にかつ段階的に小さくする。これらの状態のいずれか又は両方が満たされない（すなわち、理想的なコマンド信号が最大ロール角を超えておらず、かつ／又は前の理想的なコマンド信号が理想的なコマンド信号を超えていない）場合、コントローラは、ブロック５０６に戻って新たな指数及び第１の倍率を計算する。従って、コントローラは、前の理想なコマンド信号に基づいて車両の動作のピーク値を特定するように構成される。図５に示すように、このプロセスは、５０８に示す各条件が満たされるまで、コントローラによって連続的に繰り返すことができる。
【００４４】
ブロック５１０では、コントローラは、コマンド信号を最大コマンド角から段階的に移行させるために、第２の倍率を生成するように構成されている。いくつかの実装形態では、コントローラは、下記：
【数６】
2018537363.tif 000008
に従ってコマンド信号を調整するように構成されている。
【００４５】
ブロック５１２では、コントローラは、生成した第２の倍率Ｋ２に少なくとも基づいてコマンドスケールをさらに調整するようにさらに構成されている。図５から、コントローラが、下記：
第２の倍率＊理想的なコマンド信号
に従ってコマンド信号をさらに調整することが分かる。
【００４６】
様々な実装形態では、コントローラは、第２の倍率を用いてコマンド信号を調整したことを受けて、調整したコマンド信号に基づき、シートを動作させるためにフォースコマンドをアクチュエータに供給する。そのような実装形態は、シートの乗員により自然な感覚の車両ロール補償をもたらす。
【００４７】
決定ブロック５１４では、コントローラは、理想的なコマンド信号が、例えば、０．２°未満のほぼ通常の位置に戻ったかどうかを決定するように構成することができる。当然のことながら、０．２°は、例として提示され、代替の実装形態では、他の値（例えば、０．１°、０．３°、０．５°、１．０°）を採用することもできる。コントローラが、理想的なコマンド信号が０．２°未満であると決定した場合、調整プロセスはブロック５０２に戻る。一方、コントローラが、理想的なコマンド信号が０．２°未満でないと決定した場合、コントローラはブロック５１２に戻り、コマンド信号を制御し続ける。従って、様々な実装形態では、コントローラは、理想的なコマンド信号がほぼ通常の位置（すなわち０°）に迅速に戻る場合、調整プロセスを早期に終了することができる。コマンド信号を調整するさらなる態様及び実装形態が図７を参照して下記に説明される。
【００４８】
いくつかの態様及び実装形態は、積載重量物又は積載重量物が支持されるプラットフォームと、プラットフォームの回転中に動作範囲の角度経路内にある障害物との間の干渉を補償することも可能にする。例えば、一実装形態では、上記の車両シートの最大コマンド角は、車両の内部及び他の内部障害物の寸法によって決まり得る。いくつかの例では、最大コマンド角は、車両の乗員又はオペレータが定めることができ、固定値（例えば、±８°）に設定することができる。しかし、さらなる実装形態では、コントローラは、最大コマンド角及びシートの動作範囲限界を自動的に決定することができる。そのような実装形態では、コントローラは、車両の床から直角に延びる垂直軸に沿ったシートの位置に少なくとも部分的に基づいて最大コマンド角を自動的に決定し、調整することができる。上記のように、一実装形態では、シートの垂直高さは、走行中に能動的に又は受動的に変えることができる。１つのそのような能動的な実装形態では、システムは、ロール事象を補償するためにシートの垂直高さを調整するように配置された第２のアクチュエータを含むことができる。そのような実装形態では、動作範囲限界に近づいているか又は到達したときに知らせるように、コントローラと通信する１つ又は複数のセンサを車両のシート又は内部に配置することができる。
【００４９】
ここで、図６を参照すると、車両シートの動作を示すグラフが示されている。図６は、引き続き、図１〜図３を参照して上記に説明した車両シート及び車両シートシステムと、図５を参照して上記に説明したブロック図とに関連して説明される。グラフの垂直軸は、車両シートの位置をメートル（ｍ）で示し、水平軸は、コントローラによって生成されたコマンド信号のコマンド角を°で示す。第１の軌跡６０２は、車両の内部の近接度が無視された場合のシートの動作を表し、第２の軌跡６０４は、最大コマンド角が、車両の床に直角に延びる垂直軸（例えば、図１Ａ〜図１Ｂの軸１０８）に沿ったシートの位置に基づいて決定された場合のシートの動作を表す。ロール限界の第１のセット６０６は、車両の内部と接触する位置を示し、ロール限界の第２のセット６０８は、シートが、車両の内部との接触点の２０ｍｍ手前にある位置を示す。各限界セットは、ロール上限及びロール下限を含むことができる。
【００５０】
図６に示すように、一部の大きいロール事象中、コントローラによって生成されたフォースコマンドは、アクチュエータにシートのロール限界を超えたコマンド角でシートを配置させることがある。例えば、第１の軌跡５０２は、約−０．０５ｍの位置において、コントローラが、シートを約−７°のコマンド角で配置するようにアクチュエータに意図せず命令していることを示す。一部の特定のシート高さでは、これは安全な位置であり得るが、−０．０５ｍの高さにおいて、−７°のコマンド角は、車両の内部との衝突を引き起こす。同様に、第１の軌跡５０２は、約−０．０５５ｍの位置において、コントローラが、シートを約６°のコマンド角で配置するようにアクチュエータに命令していることを示す。−０．０３ｍの位置では、このコマンド角は問題を起こさないが、−０．０５５ｍの位置において、アクチュエータは、シートを車両の内部に衝突するまで動作させる。
【００５１】
対照的に、本明細書で説明した及び第２の軌跡６０４に関連して説明した様々な態様及び実装形態は、内部及び車両内の他の物体との衝突を回避するように車両シートの動作を調整する。例えば、車両の内部は、肘掛け、ドアフレーム、窓敷居、センタコンソール、窓、カップホルダ、及び車両シートの動作を制限することがある他の物体（例えば、ツールボックス、クーラ、個人の所持品、ラゲッジなど）を含むことができる。特に、コントローラは、車両の床から直角に延びる垂直軸に沿ったシートの高さに基づいて、シートを回転させるための最大コマンド角を決定するように構成することができる。図６に示す限界６０６、６０８によって示すように、シートの高さが高くなるにつれて、シートの動作範囲限界は大きくなり、より広い動作範囲を可能にする。
【００５２】
上記のように、いくつかの実装形態では、車両シート又はシートシステムは、車両の床に対するシートの近接度（すなわち、シートの高さ）を検出するように配置された１つ又は複数のセンサを含むことができる。一例では、コントローラは、１つ又は複数のセンサから受け取った信号に基づいてロール上限及びロール下限を決定するように構成されている。ロール上限は、軸１１４の周りの第１の方向の車両シートの動作範囲限界を含むことができ、下限は、軸１１４の周りの実質的に反対の第２の方向の車両シートの動作範囲限界を含むことができる。さらなる実装形態では、ロール上限及び／又はロール下限は、車両の内部との接触点から離れて、例えば、車両の内部から２０ｍｍ離れて設定することができる。図６に示すように、ロール上限及びロール下限は、垂直軸に沿ったシートの高さが変わるにつれて変わる。例えば、−０．０８ｍの高さにおいて、対応する上限及び下限は、約２°及び２°に定められ、−０．０５ｍの高さにおいて、対応する上限及び下限は、約５°及び５°に定められた。
【００５３】
様々な実装形態では、コントローラは、センサからの信号に基づいて、最大コマンド角参照テーブルを参照することにより、ロール上限及びロール下限を決定する。例えば、コントローラは、垂直軸に沿った特定のシート高さに対応する複数の最大コマンド角を参照テーブルに保存するように構成されている。そのような値は、車両のタイプ、モデル、もしくは構造に対応して事前に定めることができ、又は車両の内部を測量するように構成された位置センサなどの１つ又は複数のセンサによる車両の走査に基づいて生成することもできる。従って、コントローラは、特定のシート高さに基づいて、最大コマンド角参照テーブルを参照し、プラス及びマイナスの最大コマンド角を受け取るように構成することができる。そのような最大コマンド角は、次に上限及び下限を設定するために使用することができる。さらなる実装形態では、コントローラは、定めたロール上限及びロール下限に基づいて飽和閾値を調整するように構成することができる。例えば、−０．０３ｍの高さに配置されたシートは、−０．０７ｍの高さに配置されたシートよりもはるかに大きい動作範囲を有する。従って、−０．０３ｍのシート高さに対応する飽和閾値は、適切な調整を可能にするために、はるかにより大きくすることができる。
【００５４】
図７は、少なくとも１つの実装形態のコントローラによって行われるプロセスの流れを示すブロック図を提示する。図１〜図６を参照して上記に説明したように、コントローラは、車両の動作を検出するために配置された少なくとも１つのセンサと、シートの高さを測定するために配置された少なくとも１つのセンサとから信号を受け取ることができる。ブロック７０２では、コントローラは、少なくとも検出した動作に基づいて、理想的なコマンド信号を生成するために１つ又は複数のプロセスを実施するように構成されている。コントローラはまた、所定の遅延時間に基づいて前のコマンド信号を決定することができる（ブロック７０４）。次に又はこれらのプロセスと並行して、コントローラは、コマンド信号用のロール上限、ロール下限、及び飽和閾値を定めることができる（ブロック７０６）。ブロック７０８では、これらの決定（すなわち、理想的なコマンド信号、前のコマンド信号、ロール上限、ロール下限、及び飽和閾値）のすべては、車両のシートに連結された少なくとも１つのアクチュエータに車両の動作に応じてシートを回転させるように命令するコマンド信号を生成するために、コントローラにより使用することができる。コントローラは、コマンド信号に基づいて、アクチュエータがシートを望ましい位置まで動作させるようにするフォースコマンドを生成することができる（ブロック７１０）。そのような態様及び実装形態は、車両シートの動作範囲限界に対処し、シート又は乗員と車両の内部との間の任意の衝突を回避する。従って、本明細書に提示された様々な態様及び実装形態は、従来の積載重量物懸架システムの快適性及び安全性を改善する。
【００５５】
図８を参照すると、様々な態様及び機能が実施されるコントローラ８００のブロック図が示されている。図８は、図１Ａ〜図７を参照して上記に説明したいくつかの態様及び実装形態に関連して説明される。例えば、コントローラ８００は、図３に示すコントローラ３０２を含み得る。示すように、コントローラ８００は、情報を交換する１つ又は複数のシステム構成要素を含むことができる。より具体的は、コントローラ８００は、少なくとも１つのプロセッサ８０２、電源（図示せず）、データ記憶装置８１０、システムインターフェイス８１２、ユーザインターフェイス８０８、メモリ８０４、及び１つ又は複数の相互接続機構８０６を含むことができる。コントローラ８００はまた、他の構成要素に電力を供給する電源（図示せず）を含むこともできる。少なくとも１つのプロセッサ８０２は、任意のタイプのプロセッサ、又はマルチプロセッサとすることができ、例えば、デジタル信号プロセッサを含むことができる。少なくとも１つのプロセッサ８０２は、相互接続機構８０６により、１つ又は複数のメモリ装置８０４を含む他のシステム構成要素に接続されている。システムインターフェイス８１２は、１つ又は複数のセンサ又は構成要素（例えば、アクチュエータ２１０）を少なくとも１つのプロセッサ８０２に接続する。
【００５６】
メモリ８０４は、プログラム（例えば、プロセッサ８０２によって実行可能な一連のコード化命令）とコントローラ８００の動作時のデータとを保存する。このため、メモリ８０４は、性能が比較的高く、ダイナミックランダムアクセスメモリ（「ＤＲＡＭ」）又はスタティックメモリ（「ＳＲＡＭ」）などの揮発性ランダムアクセスメモリとすることができる。しかし、メモリ８０４は、ディスクドライブ又は他の不揮発性記憶装置など、データを保存する任意の装置を含み得る。様々な例は、本明細書に開示した機能を果たすために、特定の、場合により独自の構造でメモリ８０４を構成することができる。これらのデータ構造は、特定のデータ及びデータタイプの値を保存するようなサイズ及び構成とすることができる。
【００５７】
コントローラ８００の構成要素は、相互接続機構８０６などの相互接続機構によって接続される。相互接続機構８０６は、１つ又は複数の物理バスなど、システム構成要素間の任意の通信結合体を含むことができる。相互接続機構８０６は、命令及びデータを含む情報が、コントローラ８００のシステム構成要素間で交換されることを可能にする。
【００５８】
コントローラ８００はまた、入力装置、出力装置、及び組み合わせ入力／出力装置などの１つ又は複数のユーザインターフェイス装置８０８を含むことができる。インターフェイス装置は、入力を受け取るか又は出力を供給することができる。より詳細には、出力装置は、外部表示用の情報を提供することができる。入力装置は、外部発信源から情報を受け入れることができる。インターフェイス装置の例には、キーボード、マウス装置、トラックボール、マイクロフォン、タッチスクリーン、印刷装置、表示スクリーン、スピーカ、ネットワークインターフェイスカードなどがある。インターフェイス装置は、コントローラ８００が情報を交換し、ユーザ及び他のシステムなどの外部構成要素と通信することを可能にする。
【００５９】
データ記憶要素８１０は、非一時的命令及び他のデータを保存するように構成されたコンピュータ読取り可能かつ書込み可能データ記憶媒体を含み、光もしくは磁気ディスク、ＲＯＭ、又はフラッシュメモリなどの不揮発性記憶媒体、及びＲＡＭなどの揮発性メモリの両方を含み得る。命令は、本明細書で下記に説明する任意の機能を果たすために、少なくとも１つのプロセッサ８０２で実行できる実行可能なプログラム又は他のコードを含み得る。
【００６０】
図８に示していないが、コントローラ８００は、通信ネットワークインターフェイス（有線及び／又は無線）などのさらなる構成要素及び／又はインターフェイスを含むことができ、少なくとも１つのプロセッサ８０２は、省電力プロセッサ装置を含むことができる。
【００６１】
以上で少なくとも１つの実装形態のいくつかの態様を説明したが、当業者が様々な改造形態、修正形態、及び改良形態を容易に想到することが理解される。そのような改造形態、修正形態、及び改良形態は、本開示の一部であることを意図され、本開示の趣旨及び範囲内であることを意図されている。本明細書で開示した任意の一例の１つ又は複数の特徴は、開示した任意の他の例の１つ又は複数の特徴と組み合わせるか、又は開示した任意の他の例の１つ又は複数の特徴に代えて使用することができる。従って、前述の説明及び図面は単なる例である。
【００６２】
本明細書で使用した表現法及び用語は、説明することを目的としており、限定するものとみなすべきではない。本明細書において、「複数」という用語は、２つ以上の物品又は構成要素を指す。本明細書において、「実質的に同様」であると記載された大きさは、互いに約２５％以内であるとみなすべきである。「含む」、「包含する」、「担持する」、「有する」、「含有する」、及び「伴う」という用語は、本明細書又は特許請求の範囲などのいずれにおいても非限定的な用語であり、すなわち、「含むが限定されない」ことを意味する。従って、そのような用語の使用は、続いて列挙される物品と、その物品の均等物と、さらなる物品とを包含することを意図されている。「からなる」及び「から本質的になる」という移行句のみが、それぞれ特許請求の範囲における閉鎖型又は半閉鎖型移行句である。クレーム要素を修飾する、特許請求の範囲での「第１の」、「第２の」、及び「第３の」などの順序を示す用語の使用は、それ自体、１つのクレーム要素の別のクレーム要素に対する任意の優先性、上位性、もしくは順序、又は方法の行為が行われる時間的順序を内包せず、単にクレーム要素を区別するために、特定の名称を有する１つのクレーム要素を、（順序を示す用語の使用を除いて）同じ名称を有する別の要素と区別する表記として使用される。
【図１Ａ】
2018537363.tif 000013
【図１Ｂ】
2018537363.tif 000014
【図２】
2018537363.tif 000015
【図３】
2018537363.tif 000016
【図４】
2018537363.tif 000017
【図５】
2018537363.tif 000018
【図６】
2018537363.tif 000019
【図７】
2018537363.tif 000020
【図８】
2018537363.tif 000021
【国際調査報告】
2018537363.tif 000022
2018537363.tif 000023
2018537363.tif 000024